(57)【特許請求の範囲】
【請求項１】
装置のソフトウェアのバージョンに対応した部品のデザインを表すデザイン画像を記憶する記憶手段と、
前記装置を構成する部品が、前記装置のソフトウェアのバージョンに対応した前記部品であるかの確認を受け付けるための確認画面に、前記記憶手段に記憶されている、前記ソフトウェアの前記バージョンに対応した前記部品の前記デザイン画像を表示するように制御する表示制御手段と、
前記確認画面に対する、前記装置を構成する部品が、表示された前記デザイン画像に対応するかの確認の入力を受け付ける入力受付手段と、
前記確認画面への入力に基づいて、前記装置を構成する前記部品の状態を表すチェック結果データを生成する生成手段と
を備える表示制御装置。
【請求項２】
前記記憶手段は、前記ソフトウェアの更新に用いられた更新用プログラムのバージョンに対応した前記部品の前記デザイン画像である更新後デザイン画像と、更新前の前記ソフトウェアの更新に用いられた前記更新用プログラムのバージョンに対応した前記部品の前記デザイン画像である更新前デザイン画像とを記憶し、
前記表示制御手段は、前記確認画面に、前記記憶手段に記憶されている前記更新後デザイン画像と前記前記更新前デザイン画像とを表示させ、
前記入力受付手段は、前記装置を構成する部品が、表示された前記更新後デザイン画像または前記更新前デザイン画像のいずれに対応するかの確認の入力を受け付ける
請求項１に記載の表示制御装置。
【請求項３】
前記記憶手段は、前記ソフトウェアの更新に用いられた更新用プログラムの全てのバージョンに対応した前記部品の前記デザイン画像を記憶し、
前記表示制御手段は、前記更新用プログラムの全てのバージョンのうちのいずれかの選択を受け付ける選択画面を表示させた後、前記確認画面に、前記記憶手段に記憶されている前記デザイン画像のうちの、前記選択画面において選択された前記更新用プログラムの前記バージョンに対応した前記部品の前記デザイン画像を表示させる
請求項１に記載の表示制御装置。
【請求項４】
前記表示制御手段は、前記確認画面に、前記ソフトウェアの前記バージョンに対応した前記部品の前記デザイン画像とともに、前記装置を構成する前記部品が適切な状態であるか否かの入力を受け付けるためのGUI画像を表示させ、
前記入力受付手段は、前記GUI画像に対する前記部品が適切な状態であるか否かの入力の受け付け、
前記生成手段は、前記GUI画像への入力に基づいて、前記チェック結果データを生成する
請求項１乃至３のいずれかに記載の表示制御装置。
【請求項５】
前記チェック結果データの印刷を制御する印刷制御手段をさらに備える
請求項１乃至４のいずれかに記載の表示制御装置。
【請求項６】
前記印刷制御手段は、前記チェック結果データに基づいて、前記装置を構成している前記部品であって、前記ソフトウェアの前記バージョンに対応していない前記部品のリストの印刷を制御する
請求項５に記載の表示制御装置。
【請求項７】
通信ネットワークを介して接続されているサーバであって、前記装置の前記ソフトウェアの前記バージョンを管理するサーバへの、前記チェック結果データの送信を制御する送信制御部をさらに備える
請求項１乃至６のいずれかに記載の表示制御装置。
【請求項８】
前記装置は、利用者を被写体として撮影し、得られた画像に対して利用者に編集入力を行わせ、前記画像を所定のシール紙に印刷して写真シール紙を作成する写真シール作成装置である
請求項１乃至７のいずれかに記載の表示制御装置。
【請求項９】
装置のソフトウェアのバージョンに対応した部品のデザインを表すデザイン画像を記憶する記憶手段を備える表示制御装置の表示制御方法であって、
前記装置を構成する部品が、前記装置のソフトウェアのバージョンに対応した前記部品であるかの確認を受け付けるための確認画面に、前記記憶手段に記憶されている、前記ソフトウェアの前記バージョンに対応した前記部品の前記デザイン画像を表示し、
前記確認画面に対する、前記装置を構成する部品が、表示された前記デザイン画像に対応するかの確認の入力を受け付け、
前記確認画面への入力に基づいて、前記装置を構成する前記部品の状態を表すチェック結果データを生成する
ステップを含む表示制御方法。
【請求項１０】
装置のソフトウェアのバージョンに対応した部品のデザインを表すデザイン画像を記憶する記憶手段を備える表示制御装置を制御する処理をコンピュータに実行させるプログラムであって、
前記装置を構成する部品が、前記装置のソフトウェアのバージョンに対応した前記部品であるかの確認を受け付けるための確認画面に、前記記憶手段に記憶されている、前記ソフトウェアの前記バージョンに対応した前記部品の前記デザイン画像を表示し、
前記確認画面に対する、前記装置を構成する部品が、表示された前記デザイン画像に対応するかの確認の入力を受け付け、
前記確認画面への入力に基づいて、前記装置を構成する前記部品の状態を表すチェック結果データを生成する
ステップを含む処理をコンピュータに実行させるプログラム。
【発明の詳細な説明】
【技術分野】
【０００１】
本発明は、表示制御装置および方法、並びにプログラムに関し、特に、装置のソフトウェアのバージョンに対応した部品であるかを一目で確認させることができるようにする表示制御装置および方法、並びにプログラムに関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等の店舗に設置される。
【０００３】
従来、店舗側は、設置されている写真シール機のバージョンアップキットが発売されると、これを購入し、写真シール機のバージョンアップを行っている（例えば、特許文献１参照）。バージョンアップキットには、ソフトウェアのバージョンアップ用CD（Compact Disc）と、写真シール機の筐体を構成する、そのバージョンに対応した部品（例えば、カーテン等）とが含まれる。写真シール機のバージョンアップの際には、写真シール機のメンテナンスモードのバージョンアップメニューから、バージョンアップ用CDを用いてソフトウェアのバージョンアップが行われるとともに、筐体を構成する部品がそのバージョンに対応する部品（以下、バージョン対応部品ともいう）に取り替えられる。
【０００４】
一方で、店舗側は、写真シール機の新機種発売時などにその新機種を購入した場合、既に設置されている写真シール機（以下、既設機種ともいう）を移動する等して、店舗内の配置替えを行い、新機種を設置する。しかしながら、店舗の面積に対して、写真シール機の台数が超えてしまい、新機種を設置できない場合もある。このような場合、店舗側は、利用者のニーズを考慮し、新機種の設置を優先させるために、既設機種を別店舗に移設したりする。移設先の店舗においては、移設された写真シール機（既設機種）を構成する部品が全て揃っているか等の確認が行われる。
【先行技術文献】
【特許文献】
【０００５】
【特許文献１】特開２００４−１１２３３５号公報
【発明の概要】
【発明が解決しようとする課題】
【０００６】
ところで、店舗側においては、既設機種のバージョンアップキットを購入した際、ソフトウェアのバージョンアップだけを行い、バージョン対応部品への取り替えを行わないことがある。このような店舗から別店舗へ既設機種が移設された場合、移設先の店舗側においては、移設された写真シール機（既設機種）を構成する部品がソフトウェアのバージョンに対応していないことに気づかずに、移設された写真シール機を設置してしまう恐れがある。
【０００７】
また、店舗側において、既設機種のバージョンアップキットを購入したものの、写真シール機のバージョンアップを行うより前に新機種を購入した際、ソフトウェアのバージョンアップもバージョン対応部品への取り替えも行わずに、既設機種を別店舗へ移設する場合がある。このような場合、移設先の店舗側において、移設された写真シール機（既設機種）のソフトウェアのバージョンアップとバージョン対応部品への取り替えが行われることになるが、ソフトウェアのバージョンに、バージョン対応部品が正しく対応しているかを確認する術はなかった。
【０００８】
このように、写真シール機の移設前にソフトウェアのバージョンアップを行った場合や、移設後にソフトウェアのバージョンアップを行う場合など、移設前の店舗でバージョンアップキットが購入された場合には、移設後の店舗において、筐体を構成する部品がソフトウェアのバージョンに対応する部品であるかを確認することができなかった。
【０００９】
本発明は、このような状況に鑑みてなされたものであり、装置のソフトウェアのバージョンに対応した部品を一目で確認させることができるようにするものである。
【課題を解決するための手段】
【００１０】
本発明の一側面の表示制御装置は、装置のソフトウェアのバージョンに対応した部品のデザインを表すデザイン画像を記憶する記憶手段と、前記装置を構成する部品が、前記装置のソフトウェアのバージョンに対応した前記部品であるかの確認を受け付けるための確認画面に、前記記憶手段に記憶されている、前記ソフトウェアの前記バージョンに対応した前記部品の前記デザイン画像を表示するように制御する表示制御手段と、前記確認画面に対する、前記装置を構成する部品が、表示された前記デザイン画像に対応するかの確認の入力を受け付ける入力受付手段と、前記確認画面への入力に基づいて、前記装置を構成する前記部品の状態を表すチェック結果データを生成する生成手段とを備える。
【００１１】
前記記憶手段には、前記ソフトウェアの更新に用いられた更新用プログラムのバージョンに対応した前記部品の前記デザイン画像である更新後デザイン画像と、更新前の前記ソフトウェアの更新に用いられた前記更新用プログラムのバージョンに対応した前記部品の前記デザイン画像である更新前デザイン画像とを記憶させ、前記表示制御手段には、前記確認画面に、前記記憶手段に記憶されている前記更新後デザイン画像と前記前記更新前デザイン画像とを表示させ、前記入力受付手段には、前記装置を構成する部品が、表示された前記更新後デザイン画像または前記更新前デザイン画像のいずれに対応するかの確認の入力を受け付けさせることができる。
【００１２】
前記記憶手段には、前記ソフトウェアの更新に用いられた更新用プログラムの全てのバージョンに対応した前記部品の前記デザイン画像を記憶させ、前記表示制御手段には、前記更新用プログラムの全てのバージョンのうちのいずれかの選択を受け付ける選択画面を表示させた後、前記確認画面に、前記記憶手段に記憶されている前記デザイン画像のうちの、前記選択画面において選択された前記更新用プログラムの前記バージョンに対応した前記部品の前記デザイン画像を表示させることができる。
【００１３】
前記表示制御手段には、前記確認画面に、前記ソフトウェアの前記バージョンに対応した前記部品の前記デザイン画像とともに、前記装置を構成する前記部品が適切な状態であるか否かの入力を受け付けるためのGUI画像を表示させ、前記入力受付手段には、前記GUI画像に対する前記部品が適切な状態であるか否かの入力を受け付けさせ、前記生成手段には、前記GUI画像への入力に基づいて、前記チェック結果データを生成させることができる。
【００１４】
前記表示制御装置には、前記チェック結果データの印刷を制御する印刷制御手段をさらに設けることができる。
【００１５】
前記印刷制御手段には、前記チェック結果データに基づいて、前記装置を構成している前記部品であって、前記ソフトウェアの前記バージョンに対応していない前記部品のリストの印刷を制御させることができる。
【００１６】
前記表示制御装置には、通信ネットワークを介して接続されているサーバであって、前記装置の前記ソフトウェアの前記バージョンを管理するサーバへの、前記チェック結果データの送信を制御する送信制御部をさらに設けることができる。
【００１７】
前記装置は、利用者を被写体として撮影し、得られた画像に対して利用者に編集入力を行わせ、前記画像を所定のシール紙に印刷して写真シール紙を作成する写真シール作成装置であるようにすることができる。
【００１８】
本発明の一側面の表示制御方法は、装置のソフトウェアのバージョンに対応した部品のデザインを表すデザイン画像を記憶する記憶手段を備える表示制御装置の表示制御方法であって、前記装置を構成する部品が、前記装置のソフトウェアのバージョンに対応した前記部品であるかの確認を受け付けるための確認画面に、前記記憶手段に記憶されている、前記ソフトウェアの前記バージョンに対応した前記部品の前記デザイン画像を表示し、前記確認画面に対する、前記装置を構成する部品が、表示された前記デザイン画像に対応するかの確認の入力を受け付け、前記確認画面への入力に基づいて、前記装置を構成する前記部品の状態を表すチェック結果データを生成するステップを含む。
【００１９】
本発明の一側面のプログラムは、装置のソフトウェアのバージョンに対応した部品のデザインを表すデザイン画像を記憶する記憶手段を備える表示制御装置を制御する処理をコンピュータに実行させるプログラムであって、前記装置を構成する部品が、前記装置のソフトウェアのバージョンに対応した前記部品であるかの確認を受け付けるための確認画面に、前記記憶手段に記憶されている、前記ソフトウェアの前記バージョンに対応した前記部品の前記デザイン画像を表示し、前記確認画面に対する、前記装置を構成する部品が、表示された前記デザイン画像に対応するかの確認の入力を受け付け、前記確認画面への入力に基づいて、前記装置を構成する前記部品の状態を表すチェック結果データを生成するステップを含む処理をコンピュータに実行させる。
【００２０】
本発明においては、装置のソフトウェアのバージョンに対応した部品のデザインを表すデザイン画像が記憶され、装置を構成する部品が、装置のソフトウェアのバージョンに対応した部品であるかの確認を受け付けるための確認画面に、記憶されている、ソフトウェアのバージョンに対応した部品のデザイン画像が表示され、確認画面に対する、装置を構成する部品が、表示されたデザイン画像に対応するかの確認の入力が受け付けられ、確認画面への入力に基づいて、装置を構成する部品の状態を表すチェック結果データが生成される。
【発明の効果】
【００２１】
本発明によれば、装置のソフトウェアのバージョンに対応した部品を一目で確認させることが可能となる。
【図面の簡単な説明】
【００２２】
【図１】写真シール作成装置の外観の構成例を示す斜視図である。
【図２】カーテンを取り付けた状態の写真シール作成装置の外観を示す斜視図である。
【図３】写真シール作成装置の外観を他の角度からみた斜視図である。
【図４】利用者の移動について説明する図である。
【図５】撮影部の構成例を示す図である。
【図６】撮影部の色について説明する図である。
【図７】背景部の構成例を示す図である。
【図８】編集部の構成例を示す図である。
【図９】事後接客部の構成例を示す図である。
【図１０】写真シール作成装置の内部の構成例を示すブロック図である。
【図１１】制御部の構成例を示す機能ブロック図である。
【図１２】バージョン確認処理について説明するフローチャートである。
【図１３】バージョン確認処理における確認画面の表示例を示す図である。
【図１４】バージョン確認処理における確認画面の表示例を示す図である。
【図１５】バージョン確認処理における確認画面の表示例を示す図である。
【図１６】バージョン確認処理における選択画面の表示例を示す図である。
【図１７】サーバの構成例を示す機能ブロック図である。
【図１８】管理データの例を示す図である。
【発明を実施するための形態】
【００２３】
［写真シール作成装置の外観構成］
図１は、本発明の一実施形態に係る写真シール作成装置１の外観の構成例を示す斜視図である。
【００２４】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００２５】
写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００２６】
図１に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００２７】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００２８】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００２９】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図３）から構成される。
【００３０】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３１】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３２】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。なお、複数のカーテンを１枚のクロマキ用のカーテンとし、昇降式の背景カーテンとして用意してもよい。また、クロマキ用のカーテンを予め撮影空間の背面に張り付けるとともに、合成用の背景画像を複数種類用意し、編集処理において利用者が所望する背景画像をカーテンの部分に合成することができるようにしてもよい。
【００３３】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００３４】
図２に示すように、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【００３５】
また、図２に示すように、撮影空間の出入り口Ｇ１には側面カーテン６３が取り付けられる。側面カーテン６３は、２枚のカーテン６３Ａおよびカーテン６３Ｂから構成される。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【００３６】
図１の説明に戻り、編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００３７】
図１に示す編集部１２の構成を正面側の構成とすると、２組の利用者が同時に編集処理を行うことができるように、編集部１２の正面側と背面側には編集処理に用いられる構成がそれぞれ設けられる。
【００３８】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図３）が設けられる。
【００３９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４０】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４１】
図３は、写真シール作成装置１を別の角度から見た斜視図である。
【００４２】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００４３】
図３に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００４４】
ここで、写真シール作成ゲームの流れと、それに伴う利用者の移動について図４を参照して説明する。図４は、写真シール作成装置１を上から見た平面図である。
【００４５】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００４６】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００４７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００４８】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００４９】
画像の印刷が終了したとき、利用者は、事後接客部１３に設けられた排出口からシール紙を受け取り、一連の写真シール作成ゲームを終えることになる。
【００５０】
［各装置の構成］
次に、各装置の構成について説明する。
【００５１】
図５は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００５２】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００５３】
正面パネル４１のほぼ中央には撮影・表示ユニット８１が設けられる。撮影・表示ユニット８１は、カメラ９１、正面ストロボ９２、およびタッチパネルモニタ９３から構成される。
【００５４】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００５５】
カメラ９１を囲むように発光面が設けられた正面ストロボ９２は、他のストロボと同様にカメラ９１による撮影に合わせて発光し、被写体としての利用者の顔付近を正面から照射する。
【００５６】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００５７】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００５８】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００５９】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。
【００６０】
足元ストロボ８６の右側には、利用者がお金を投入する硬貨投入返却口８７が設けられる。
【００６１】
下ストロボ８５を挟んでベース部４３の上面の左右に形成されるスペース４３Ａおよび４３Ｂは、撮影処理を行う利用者が手荷物等を置くための荷物置き場として用いられる。正面パネル４１の例えば天井付近には、撮影処理の案内音声、BGM(Back Ground Music)、効果音等の音を出力するスピーカも設けられる。
【００６２】
このような構成を有する撮影部２１の各部のうち、正面パネル４１、側面パネル４２Ａ、側面パネル４２Ｂ、およびベース部４３の撮影空間Ａ１に面する部分の色と、連結部２３Ａ、連結部２３Ｂの内側の色は、図６に色を付して示すように黒色などの暗い色とされる。図２を参照して説明したように、撮影空間Ａ１の天井前方の開口に取り付けられる天井前方カーテン６１の内側の色と、出入り口Ｇ１およびＧ２に取り付けられるカーテンの内側の色が暗い色であることもあって、撮影空間Ａ１の前方の色は全体的に暗い色となる。
【００６３】
後述するように、背景部２２には撮影空間Ａ１にいる利用者を背面側から照射するストロボが設けられる。撮影空間Ａ１の前方の色を全体的に暗い色にすることによって、背景部２２に設けられるストロボからの光が撮影空間Ａ１内で反射し、利用者を照射してしまうことを防ぐことができ、意図した明るさで撮影を行うことが可能になる。
【００６４】
すなわち、背景部２２の両端に設けられたストロボからの光のうち、利用者にあたらない光の反射は出入り口Ｇ１およびＧ２に取り付けられた側面カーテンの内側で防ぐことができる。また、撮影部２１の正面に設けられた例えば下ストロボ８５からの光のうち、利用者にあたらない光の反射は天井前方カーテン６１の内側で防ぐことができる。撮影部２１の正面に設けられた左ストロボ８３および右ストロボ８４からの光のうち、利用者にあたらない光の反射は側面パネル４２Ａ、側面パネル４２Ｂの内側で防ぐことができる。
【００６５】
また、図２を参照して説明したように、撮影空間Ａ１の天井後方の開口に取り付けられる天井後方カーテン６２の内側の色は明るい色であり、撮影空間Ａ１の後方の色は全体的に明るい色となる。
【００６６】
撮影空間Ａ１の後方の色を全体的に明るい色にすることによって、撮影部２１に設けられるストロボからの光を撮影空間Ａ１内で反射させ、利用者を後方から照射することが可能になる。利用者を後方から照射して撮影を行うことによって、逆光で撮影したときと同様に、利用者の輪郭が柔らかい雰囲気で写っている画像を撮影することが可能になる。また、撮影画像から抽出した利用者の部分を他の画像と合成する場合などにクロマキ処理が行われるが、背景を明るくすることによってクロマキ処理を正しく行うことが可能になる。
【００６７】
図７は、背景部２２の撮影空間Ａ１側の構成例を示す図である。
【００６８】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００６９】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００７０】
図８は、編集部１２の正面側（編集空間Ａ２−１側）の構成例を示す図である。
【００７１】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７２】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７３】
編集部１２の左側には事後接客部１３が設けられる。
【００７４】
図９は、事後接客部１３の正面側の構成例を示す図である。
【００７５】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、ミニゲームなどの事後接客処理に用いられる画面が表示される。
【００７６】
タブレット内蔵モニタ１６１の下には非接触型ICリーダ／ライタ１６３が設けられ、非接触型ICリーダ／ライタ１６３の下には写真シール排出口１６４が設けられる。写真シール排出口１６４の下にはスピーカ１６５が設けられる。
【００７７】
非接触型ICリーダ／ライタ１６３は、近接された非接触型ICと通信を行い、非接触型ICからのデータの読み出しや非接触型ICに対するデータの書き込みを行う。
【００７８】
写真シール排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００７９】
スピーカ１６５は、事後接客処理の案内音声、BGM、効果音等の音を出力する。
【００８０】
［写真シール作成装置の内部構成］
次に、写真シール作成装置１の内部構成について説明する。図１０は、写真シール作成装置１の内部の構成例を示すブロック図である。上述した構成と同じ構成には同じ符号を付してある。重複する説明については適宜省略する。
【００８１】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【００８２】
記憶部２０２は、ハードディスクやフラッシュメモリなどの不揮発性の記憶媒体からなり、制御部２０１から供給された各種の設定情報や画像情報（画像）を記憶する。記憶部２０２に記憶されている情報は制御部２０１により適宜読み出される。
【００８３】
通信部２０３はインターネットなどのネットワークのインタフェースであり、制御部２０１による制御に従って外部の装置と通信を行う。
【００８４】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８５】
ROM２０６には、制御部２０１において実行されるプログラムやデータが記憶されている。RAM２０７は、制御部２０１が処理するデータやプログラムを一時的に記憶する。
【００８６】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００８７】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００８８】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００８９】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５、足元ストロボ８６と、背景部２２に設けられる背面中央ストロボ１０１、背面左ストロボ１０２，背面右ストロボ１０３が設けられる。各ストロボの内部には蛍光灯も設けられる。
【００９０】
カメラ９１は、制御部２０１による制御に従って撮影を行い、撮影によって得られた画像を制御部２０１に出力する。
【００９１】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９２】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９３】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【００９４】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、写真シール排出口１６４に排出する。一点鎖線で囲んで示す事後接客部２１０と印刷部２１１が、事後接客空間Ａ３にいる利用者を相手とした処理を行う構成となる。
【００９５】
以上のような構成により、写真シール作成装置１は、利用者に対して写真シール作成ゲームを提供することができる。一方で、写真シール作成装置１は、写真シール作成装置１が設置される店舗の店員や、写真シール作成装置１を管理する事業者から派遣された保守員に対して、写真シール作成装置１のメンテナンス作業を行わせることもできる。具体的には、写真シール作成装置１の動作モードには、写真シール作成ゲームを提供するゲームモードと、メンテナンス作業を行わせるメンテナンスモードとがあり、写真シール作成装置１の所定の部分に設けられているモード切り替えボタンが操作されることで、写真シール作成装置１の動作モードが切り替わるようになっている。
【００９６】
メンテナンスモードには、定期的にまたは必要に応じて写真シール作成装置１のメンテナンス作業を行わせる通常モードと、新規に購入されて設置されるかまたは他の店舗から移設されて設置されるときに写真シール作成装置１のメンテナンス作業（チェック作業）を行わせる設置モードとがある。
【００９７】
モード切り替えボタンが操作され、写真シール作成装置１の動作モードがゲームモードからメンテナンスモードに切り替わり、例えば、撮影部２１のタッチパネルモニタ９３上の隠しボタンが操作されると、写真シール作成装置１は設置モードとなり、タッチパネルモニタ９３には、店舗の店員や、写真シール作成装置１を管理する事業者の保守員（以下、作業者という）に対して、設置時のチェック作業（確認作業）を行わせるための画面が表示される。
【００９８】
［制御部の構成］
ここで、写真シール作成装置１を設置モードで動作させる制御部２０１の構成について説明する。図１１は、制御部２０１がROM２０６などに格納されているプログラムを実行することにより実現される機能ブロックの構成例を示している。
【００９９】
制御部２０１は、バージョン取得部２３１、確認画面表示制御部２３２、入力受付制御部２３３、確認結果データ生成部２３４、印刷制御部２３５、および送信制御部２３６から構成される。
【０１００】
バージョン取得部２３１は、写真シール作成装置１の機種名および写真シール作成装置１にインストールされ、写真シール作成装置１を動作させるソフトウェアのバージョンを取得する。ここで、具体的には、ソフトウェアのバージョンは、写真シール作成装置１のバージョンアップに用いられるバージョンアップキット（写真シール作成装置１のソフトウェアの更新に用いられるバージョンアップ用CDに記録されている更新用プログラム）のバージョンを示すが、以下においては、基本的に、単にソフトウェアのバージョンと称する。
【０１０１】
確認画面表示制御部２３２は、作業者に、筐体を構成する各種の部品がソフトウェアのバージョンに対応する部品であるかを確認させるための確認画面をタッチパネルモニタ９３に表示させたり、それらの画面上における各種のGUI画像の表示に関する処理を行う。
【０１０２】
入力受付制御部２３３は、タッチパネルモニタ９３に表示される各種のGUI画像に対して作業者により行われる操作入力を受け付ける処理を行う。
【０１０３】
確認結果データ生成部２３４は、タッチパネルモニタ９３に表示される各種のGUI画像に対する操作入力の受付内容に基づいて、作業者による確認画面における確認の結果を表すデータである確認結果データを生成する。
【０１０４】
印刷制御部２３５は、印刷部２１１を制御し、生成された確認結果データのシール紙への印刷を制御する。
【０１０５】
送信制御部２３６は、通信部２０３を制御し、インターネットなどのネットワークを介した通信に関する処理を行う。
【０１０６】
［設置モードにおける写真シール作成装置の動作］
次に、図１２のフローチャートを参照して、メンテナンスモードの設置モードにおける写真シール作成装置１のバージョン確認処理について説明する。図１２のバージョン確認処理は、モード切り替えボタンが操作され、写真シール作成装置１の動作モードがゲームモードからメンテナンスモードに切り替わり、撮影部２１のタッチパネルモニタ９３上の隠しボタンが操作されると開始される。
【０１０７】
ステップＳ３１において、写真シール作成装置１の制御部２０１のバージョン取得部２３１は、写真シール作成装置１の機種名および写真シール作成装置１にインストールされているソフトウェアのバージョンを取得する。そして、確認画面表示制御部２３２は、タッチパネルモニタ９３に、写真シール作成装置１の機種名およびソフトウェアのバージョンを作業者に確認させるための確認画面を表示させ、入力受付制御部２３３は、その確認画面に対する確認の入力を受け付ける。
【０１０８】
図１３は、写真シール作成装置１の機種名およびソフトウェアのバージョンを確認させるための確認画面の表示例を示している。
【０１０９】
図１３の確認画面においては、機種名を表す「機種名：○○○○○」が表示されているとともに、ソフトウェアのバージョンがバージョン３であることを表す「バージョン：Ver.03.00.00」が表示されている。また、図１３の確認画面の下部には、処理を次に進めるための「はい」ボタンと、処理を終了させるための「いいえ」ボタンとが表示されている。図１３の確認画面において、作業者によって、機種名およびソフトウェアのバージョンが確認され、「はい」ボタンが選択されると、処理はステップＳ３２に進む。また、図１３の確認画面において、「いいえ」ボタンが選択されると処理は終了する。以下においては、「はい」ボタンが選択されたものとして説明する。
【０１１０】
ステップＳ３２において、確認画面表示制御部２３２および入力受付制御部２３３は、写真シール作成装置１の左側面、すなわち、撮影部２１の側面パネル４２Ａ側の部材が適切な状態であるかを作業者に確認させる。具体的には、確認画面表示制御部２３２は、タッチパネルモニタ９３に、写真シール作成装置１の左側面に取り付けられる外装カーテンである、カーテン６３Ａ，Ｂおよびレール２６Ａに取り付けられるカーテン（図示せず）に、破れや、マジック等での落書きがないかを確認させる確認画面を表示させ、入力受付制御部２３３は、その確認画面に対する確認の入力を受け付ける。
【０１１１】
図１４は、写真シール作成装置１の左側面の部材が適切な状態であるかを確認させる確認画面の表示例である。図１４の確認画面においては、その上段に、現在の確認項目を示す「確認１．部材の確認（左側面）」と、確認内容を示す「外装カーテンに破れ・マジックでの落書がないか確認してください。」の文言が表示されている。また、その下には、上述した３枚の外装カーテン（カーテン６３Ａ，Ｂおよびレール２６Ａに取り付けられるカーテン）それぞれの名称、品番、外装カーテン（部材）のデザイン（色、図柄、形状等）を表すデザイン画像３３１−１乃至３３１−３、およびGUI画像の１つであるチェックボックス３３２−１乃至３３２−３が表示されている。各部材の名称、品番、およびデザイン画像は、例えば、写真シール作成装置１のソフトウェアのバージョンアップ時（更新時）に、バージョンアップ用CDからコピーされる等して記憶部２０２に記憶され、バージョン確認処理において、制御部２０１により記憶部２０２から読み出される。
【０１１２】
具体的には、カーテン６３Ａについては、「名称：撮影カーテンＡ（左）」、「品番：F502428-1」、デザイン画像３３１−１、およびチェックボックス３３２−１が表示されており、カーテン６３Ｂについては、「名称：撮影カーテンＢ（左）」、「品番：F502430-1」、デザイン画像３３１−２、およびチェックボックス３３２−２が表示されており、レール２６Ａに取り付けられるカーテンについては、「名称：落書カーテン（左）」、「品番：F502432-1」、デザイン画像３３１−３、およびチェックボックス３３２−３が表示されている。
【０１１３】
図１４の確認画面においては、名称、品番、およびデザイン画像３３１−１乃至３３１−３はそれぞれ、ソフトウェアのバージョンであるバージョン３（以下、V3ともいう）に対応したものが表示される。すなわち、図１４の確認画面は、写真シール作成装置１の外装カーテンが、ソフトウェアのバージョンに対応した外装カーテンであるかの確認を受け付ける画面である。これにより、作業者は、実際に取り付けられている（または、これから取り付けようとしている）外装カーテンと、確認画面に表示されているデザイン画像３３１−１乃至３３１−３とを比較することで、実際に取り付けられている（または、これから取り付けようとしている）外装カーテンがソフトウェアのバージョンに対応したものであるかを確認することができる。
【０１１４】
また、チェックボックス３３２−１乃至３３２−３には、それぞれの部材（外装カーテン）に破れや落書きがあったり、実際に取り付けられている（または、これから取り付けようとしている）外装カーテンがデザイン画像３３１−１乃至３３１−３と異なっていた場合にチェックマークが作業者の操作によって入力されるようになっている。
【０１１５】
そして、作業者が左側面の部材の確認を終え、図１４の確認画面において、作業者によって確認完了ボタン３３３が操作されると、入力受付制御部２３３は、確認画面に対する確認の結果を表す情報を確認結果データ生成部２３４に供給し、処理はステップＳ３３に進む。
【０１１６】
ステップＳ３３において、確認画面表示制御部２３２および入力受付制御部２３３は、写真シール作成装置１の右側面、すなわち、撮影部２１の側面パネル４２Ｂ側の部材が適切な状態であるかを確認させる。具体的には、確認画面表示制御部２３２は、タッチパネルモニタ９３に、図１４と同様の、写真シール作成装置１の右側面に取り付けられる外装カーテンである、撮影空間の出入り口Ｇ２に取り付けられる側面カーテン（図示せず）およびレール２６Ｂに取り付けられるカーテン（図示せず）に、破れやマジック等での落書きがないか、および、それらの部材がソフトウェアのバージョンに対応しているかを確認させる確認画面を表示させ、入力受付制御部２３３は、その確認画面に対する確認の入力を受け付ける。作業者が右側面の部材の確認を終え、確認画面において、作業者によって確認完了ボタンが操作されると、入力受付制御部２３３は、確認画面に対する確認の結果を表す情報を確認結果データ生成部２３４に供給し、処理はステップＳ３４に進む。
【０１１７】
ステップＳ３４において、確認画面表示制御部２３２および入力受付制御部２３３は、写真シール作成装置１の前面および背面の部材が適切な状態であるかを確認させる。具体的には、確認画面表示制御部２３２は、タッチパネルモニタ９３に、図１４と同様の、写真シール作成装置１の前面に取り付けられる外装カーテンであるレール２６Ｃに取り付けられるカーテン（図示せず）および背面パネル５１に、破れやマジック等での落書きがないか、および、それらの部材がソフトウェアのバージョンに対応しているかを確認させる確認画面を表示させ、入力受付制御部２３３は、その確認画面に対する確認の入力を受け付ける。作業者が前面および背面の部材の確認を終え、確認画面において、作業者によって確認完了ボタンが操作されると、入力受付制御部２３３は、確認画面に対する確認の結果を表す情報を確認結果データ生成部２３４に供給し、処理はステップＳ３５に進む。
【０１１８】
ステップＳ３５において、確認画面表示制御部２３２および入力受付制御部２３３は、デザインシール類が適切な状態であるかを確認させる。具体的には、確認画面表示制御部２３２は、タッチパネルモニタ９３に、図１４と同様の、写真シール作成装置１に取り付けられる外装カーテン以外の筐体部分に貼り付けられるシールに、破れやマジック等での落書きがないか、および、それらデザインシール類がソフトウェアのバージョンに対応しているかを確認させる確認画面を表示させ、入力受付制御部２３３は、その確認画面に対する確認の入力を受け付ける。作業者がデザインシール類の確認を終え、確認画面において、作業者によって確認完了ボタンが操作されると、入力受付制御部２３３は、確認画面に対する確認の結果を表す情報を確認結果データ生成部２３４に供給し、処理はステップＳ３６に進む。
【０１１９】
ステップＳ３６において、確認画面表示制御部２３２および入力受付制御部２３３は、その他の部材が適切な状態であるかを確認させる。具体的には、確認画面表示制御部２３２は、タッチパネルモニタ９３に、図１４と同様の、写真シール作成装置１を構成する撮影ユニット１１、編集部１２、事後接客部１３、天井ストロボユニット２４、背景カーテンユニット２５等が破損してないか、および、ソフトウェアのバージョンに対応しているかを確認させる確認画面を表示させ、入力受付制御部２３３は、その確認画面に対する確認の入力を受け付ける。作業者がその他の部材の確認を終え、確認画面において、作業者によって確認完了ボタンが操作されると、入力受付制御部２３３は、確認画面に対する確認の結果を表す情報を確認結果データ生成部２３４に供給し、処理はステップＳ３７に進む。
【０１２０】
ステップＳ３７において、確認結果データ生成部２３４は、入力受付制御部２３３からの情報に基づいて、ステップＳ３２乃至Ｓ３６において表示された確認画面において確認（チェック）された各部材（各部品）の状態を表す部品チェック結果データを生成する。部品チェック結果データには、現在のソフトウェアのバージョンを表す情報、および確認画面における各部品についてのチェックボックスへのチェックマークの入力の有無を表す情報が含まれている。
【０１２１】
ステップＳ３８において、印刷制御部２３５は、印刷部２１１を制御し、確認結果データ生成部２３４により生成された部品チェック結果データをシール紙に印刷させ、写真シール排出口１６４に排出させる。
【０１２２】
このとき、印刷制御部２３５は、部品チェック結果データに基づいて、確認画面において、チェックボックスにチェックマークが入力された部品のみのリスト、すなわち、破れや落書き、破損等があるか、または、ソフトウェアのバージョンに対応していない部品のリストである欠品リストを、部品チェック結果データが印刷されたシール紙とは別のシール紙に印刷させ、写真シール排出口１６４に排出させるようにしてもよい。
【０１２３】
ステップＳ３９において、送信制御部２３６は、通信部２０３を制御し、インターネットなどのネットワークを介して、確認結果データ生成部２３４により生成された部品チェック結果データを、写真シール作成装置１のソフトウェアのバージョンを管理しているサーバに送信し、処理は終了する。
【０１２４】
以上の処理によれば、確認画面に、ソフトウェアのバージョンに対応した部品のデザインを表すデザイン画像が表示されるので、作業者は、実際に取り付けられている（または、これから取り付けようとしている）部品と、デザイン画像とを比較することにより、実際に取り付けられている（または、これから取り付けようとしている）部品がソフトウェアのバージョンに対応した部品であるかを確認することができる。したがって、移設前の店舗でバージョンアップキットが購入された場合であっても、移設後の店舗において、作業者に、筐体を構成する部品がソフトウェアのバージョンに対応する部品であるかを一目で確認させることができる。
【０１２５】
また、欠品リストをシール紙に印刷し出力するようにもできるので、作業者は、交換や補充が必要な部品を一目で把握することができ、それらを部品メーカ等に即座に発注し、写真シール作成装置１に取り付けることができるようになる。
【０１２６】
なお、以上においては、確認画面表示制御部２３２は、部品の確認画面（図１４）に、写真シール作成装置１にインストールされているソフトウェアの更新に用いられた更新用プログラムのバージョンに対応する部品のデザイン画像を表示するようにしたが、現在のバージョンに対応する部品のデザイン画像とともに、更新前のソフトウェアの更新に用いられた更新用プログラムのバージョンに対応する部品のデザイン画像を表示するようにしてもよい。
【０１２７】
図１５は、現在のソフトウェア（現在のソフトウェアの更新に用いられた更新用プログラム）のバージョンに対応する部品のデザイン画像とともに、更新前のソフトウェア（更新前のソフトウェアの更新に用いられた更新用プログラム）のバージョンに対応する部品のデザイン画像を表示するようにした部品の確認画面の表示例を示している。
【０１２８】
図１５の確認画面においては、図１４の確認画面に表示されている、バージョン３（V3）に対応する部品のデザイン画像３３１−１乃至３３１−３に加え、バージョン３の１つ前のバージョンであるバージョン２（V2）に対応する部品のデザイン画像３３４−１乃至３３４−３が表示されている。
【０１２９】
このように、現在のソフトウェア（現在のソフトウェアの更新に用いられた更新用プログラム）のバージョンに対応する部品のデザイン画像とともに、更新前のソフトウェア（更新前のソフトウェアの更新に用いられた更新用プログラム）のバージョンに対応する部品のデザイン画像を表示させることで、移設後の店舗において写真シール作成装置１のバージョンアップを行う際に、実際に取り付けられている（または、これから取り付けようとしている）部品が、更新前のバージョンに対応する部品であるかを確認することができるようになる。
【０１３０】
また、移設前の店舗において、例えば、バージョン２からバージョン３へ、ソフトウェアのバージョンアップ（更新）だけが行われていた場合に、移設後の店舗においては、移設前の店舗でバージョン対応部品への取り替えが行われなかったことを把握することができる。これにより、店舗における写真シール機に対するバージョン管理の実態を把握することができるようになる。
【０１３１】
また、確認画面表示制御部２３２は、図１６に示されるように、ソフトウェアの更新に用いられた更新用プログラムの全てのバージョンのうちのいずれかを選択させ、選択されたバージョンに対応する部品のデザイン画像を表示するようにしてもよい。
【０１３２】
図１６の左側には、写真シール作成装置１にインストールされているソフトウェアの更新に用いられた更新用プログラムの全てのバージョンから、いずれか１つを選択させるための選択画面が示されている。この選択画面においては、バージョン１（V1）を選択させるためのボタン３５１、バージョン２（V2）を選択させるためのボタン３５２、およびバージョン３（V3）を選択させるためのボタン３５３が表示されている。この選択画面において、例えば、作業者によりボタン３５３が選択された場合には、図１６の右側に示される確認画面が表示される。なお、図１６の確認画面は、基本的には、図１４に示される確認画面と同一であるが、その右上に、バージョン３が選択された旨を示す「※V3が表示されています。」が表示されている点で異なる。また、図１６の選択画面において、作業者によりボタン３５１またはボタン３５２が選択された場合には、それぞれ、バージョン１またはバージョン２に対応する部品の名称、品番、およびデザイン画像が表示された確認画面が表示されるが、ここでは、その図示は省略する。
【０１３３】
このように、ソフトウェアの更新に用いられた更新用プログラムの全てのバージョンのうちのいずれかを選択させることで、写真シール作成装置１に実際に取り付けられている（または、これから取り付けようとしている）部品が、どのバージョンに対応する部品であるのかを確認することができるようになる。
【０１３４】
ところで、上述したように、部品チェック結果データは、写真シール作成装置１のソフトウェアのバージョンを管理しているサーバに送信される。
【０１３５】
ここで、写真シール作成装置１から送信される部品チェック結果データに基づいて、写真シール作成装置１のソフトウェアのバージョンを管理するサーバの構成について説明する。
【０１３６】
［サーバの構成例］
図１７は、写真シール作成装置１のソフトウェアのバージョンを管理するサーバの構成例を示している。
【０１３７】
図１７のサーバ４０１は、例えば、写真シール作成装置１を管理する事業者に所有され、写真シール作成装置１から送信されてくる部品チェック結果データに基づいて、その写真シール作成装置１のソフトウェアのバージョンを管理する。
【０１３８】
サーバ４０１は、通信処理部４１１およびバージョン管理部４１２を備えている。
【０１３９】
通信処理部４１１は、インターネットなどのネットワークを介して、写真シール作成装置１と通信する。バージョン管理部４１２は、写真シール作成装置１から送信されてくる部品チェック結果データに基づいて、写真シール作成装置１のソフトウェアのバージョンを管理するための管理データを更新する。管理データは、各店舗に設置されている写真シール作成装置毎に、図示せぬデータベースに記憶されている。具体的には、管理データは、写真シール作成装置それぞれを特定する機器IDに対応付けられて、図示せぬデータベースに記憶されている。
【０１４０】
図１８は、バージョン管理部４１２によって管理される管理データの例を示している。
【０１４１】
図１８の管理データは、受信日時、バージョン、および部品チェック結果から構成される。
【０１４２】
受信日時は、写真シール作成装置１からの部品チェック結果データが通信処理部４１１によって受信された日時である。バージョンは、部品チェック結果データが送信されてきたときに写真シール作成装置１にインストールされているソフトウェアのバージョンを示している。部品チェック結果は、部品チェック結果データが送信されてきたときの写真シール作成装置１における部品１乃至２０それぞれの状態（破れ、落書き、破損等があるか否か、または、ソフトウェアのバージョンに対応しているか否か）、すなわち、部品１乃至２０それぞれの交換や補充の要否を示している。
【０１４３】
具体的には、2011年4月28日に部品チェック結果データを受信したときの写真シール作成装置１は、ソフトウェアのバージョンがバージョン３であり、部品３の交換または補充が必要とされている。また、2010年12月10日に部品チェック結果データを受信したときの写真シール作成装置１は、ソフトウェアのバージョンがバージョン２であり、部品２の交換または補充が必要とされている。
【０１４４】
このように、管理データは、部品チェック結果データを履歴として蓄積したものであり、バージョン管理部４１２は、部品チェック結果データの履歴に基づいて、写真シール作成装置１のバージョンを管理している。
【０１４５】
また、管理データは、写真シール作成装置１が店舗側に購入され設置されたときに生成され、写真シール作成装置１が移設された移設先の店舗側においてバージョン確認処理が実行されて部品チェック結果データが送信されてくる度に更新される。
【０１４６】
これにより、サーバ４０１においては、写真シール作成装置１のソフトウェアのバージョンが管理されるとともに、その写真シール作成装置１における部品の交換・補充の要否が管理されるようになる。したがって、サーバ４０１を所有する事業者は、写真シール作成装置１において、交換や補充が必要な部品を容易に把握することができ、部品メーカ等に即座に発注し、写真シール作成装置１に取り付けることができるようになる。
【０１４７】
［変形例］
以上においては、バージョン確認処理における確認画面は、撮影部２１のタッチパネルモニタ９３に表示されるものとしたが、編集部１２のタブレット内蔵モニタ１３１や、事後接客部１３のタブレット内蔵モニタ１６１に表示されるようにしてもよい。
【０１４８】
また、写真シール作成装置１と別体として構成されるパーソナルコンピュータ等の情報処理装置に、上述の制御部２０１の機能を備えるようにして、その情報処理装置に、バージョン確認処理を実行させるようにしてもよい。この場合、情報処理装置を写真シール作成装置１に接続させ、写真シール作成装置１の機種名およびソフトウェアのバージョンを取得させることで、情報処理装置にバージョン確認処理を実行させることができる。なお、デザイン画像は、情報処理装置に予め記憶させるようにしてもよいし、写真シール作成装置１から取得させるようにしてもよい。この場合、バージョン確認の対象となる装置は、写真シール作成装置１に限らず、その他の装置とすることもできる。
【０１４９】
なお、本発明の実施の形態は、上述した実施の形態に限定されるものではなく、本発明の要旨を逸脱しない範囲において種々の変更が可能である。
【符号の説明】
【０１５０】
１  写真シール作成装置
２０１  制御部
２３１  バージョン取得部
２３２  確認画面表示制御部
２３３  入力受付制御部
２３４  確認結果データ生成部
２３５  印刷制御部
２３６  送信制御部
【図１】
0005549886.tif 000002
【図２】
0005549886.tif 000003
【図３】
0005549886.tif 000004
【図４】
0005549886.tif 000005
【図５】
0005549886.tif 000006
【図６】
0005549886.tif 000007
【図７】
0005549886.tif 000008
【図８】
0005549886.tif 000009
【図９】
0005549886.tif 000010
【図１０】
0005549886.tif 000011
【図１１】
0005549886.tif 000012
【図１２】
0005549886.tif 000013
【図１３】
0005549886.tif 000014
【図１４】
0005549886.tif 000015
【図１５】
0005549886.tif 000016
【図１６】
0005549886.tif 000017
【図１７】
0005549886.tif 000018
【図１８】
0005549886.tif 000019